(57)【要約】【課題】衝撃を十分に吸収できる陰極線管表示装置の梱包構造を提供する。【解決手段】表示装置１は、本体部２と、本体部２から一段下がって後方に窄まりながら突き出る突出部３と、本体部２、突出部３を下方より支える支持台部４と、突出部３の左右両側面における本体部２側の上縁部から張り出す取っ手部５Ａ、５Ｂと、を備える。この表示装置１は、本体部２の左右の前下側角部と、支持台部４の左右の後下側角部と、が前後に一対の下側緩衝部材１０Ａ、１０Ｂで保持され、本体部２の左右の前上側角部が左右に一対の上側緩衝部材２０Ａ、２０Ｂで保持されて、箱３０の中に梱包される。上側緩衝部材２０Ａ、２０Ｂは、本体部２の上部での後面に当接する第１の突起部２１Ａ、２１Ｂと、取っ手部５Ａ、５Ｂの後面に当接する第２の突起部２２Ａ、２２Ｂと、突出部３の上面に当接する第３の突起部２３Ａ、２３Ｂと、を有する。【選択図】図５
0003129084.tif 000002
【実用新案登録請求の範囲】
【請求項１】
箱の中に緩衝部材を介在して梱包された陰極線管表示装置の梱包構造において、
陰極線管表示装置は、表示画面を前面に有する本体部と、この本体部から一段下がって後方に窄まりながら突き出る突出部と、前記本体部及び前記突出部を下方より支える支持台部と、前記突出部の左右両側面における前記本体部側の上縁部からそれぞれ側方に張り出す取っ手部と、を備え、
前記本体部の前面、下面及び側面を含む左右の前下側角部と、前記支持台部の後面、下面及び側面を含む左右の後下側角部と、が前後に分割して配置された一対の下側緩衝部材で保持され、
前記本体部の前面、上面及び側面を含む左右の前上側角部が左右に分割して配置された一対の上側緩衝部材で保持されており、
前記上側緩衝部材は、前記突出部の上面の前縁部に隣接する前記本体部の後面に当接する第１の突起部と、前記取っ手部の後面に当接する第２の突起部と、前記突出部の上面に当接する第３の突起部と、を有するものであって、
前記上側緩衝部材が発泡スチロールから成り、
前記箱が段ボール紙から成り、
前記陰極線管表示装置がテレビジョン受像機であり、
前記上側緩衝部材からの前記第１の突起部と前記突出部の上面の前縁部との間に、５ｍｍ以上の隙間があけられていることを特徴とする陰極線管表示装置の梱包構造。
【請求項２】
箱の中に緩衝部材を介在して梱包された陰極線管表示装置の梱包構造において、
陰極線管表示装置は、表示画面を前面に有する本体部と、この本体部から一段下がって後方に窄まりながら突き出る突出部と、前記本体部及び前記突出部を下方より支える支持台部と、前記突出部の左右両側面における前記本体部側の上縁部からそれぞれ側方に張り出す取っ手部と、を備え、
前記本体部の前面、下面及び側面を含む左右の前下側角部と、前記支持台部の後面、下面及び側面を含む左右の後下側角部と、が前後又は左右に分割して配置された一対の下側緩衝部材で保持され、
前記本体部の前面、上面及び側面を含む左右の前上側角部が左右に分割して配置された一対の上側緩衝部材で保持されており、
前記上側緩衝部材は、前記突出部の上面の前縁部に隣接する前記本体部の後面に当接する第１の突起部と、前記取っ手部の後面に当接する第２の突起部と、前記突出部の上面に当接する第３の突起部と、を有することを特徴とする陰極線管表示装置の梱包構造。
【請求項３】
前記上側緩衝部材からの前記第１の突起部と前記突出部の上面の前縁部との間に、所定の隙間があけられていることを特徴とする請求項２に記載の陰極線管表示装置の梱包構造。
【請求項４】
前記上側緩衝部材が発泡スチロールから成り、前記隙間が５ｍｍ以上であることを特徴とする請求項３に記載の陰極線管表示装置の梱包構造。
【請求項５】
前記箱が段ボール紙から成ることを特徴とする請求項２から４のいずれかに記載の陰極線管表示装置の梱包構造。
【請求項６】
前記陰極線管表示装置がテレビジョン受像機であることを特徴とする請求項２から５のいずれかに記載の陰極線管表示装置の梱包構造。
【考案の詳細な説明】
【技術分野】
【０００１】
本考案は、一般にはブラウン管と呼ばれる陰極線管（Cathode Ray Tube；ＣＲＴ）が用いられた表示装置を運搬するときの陰極線管表示装置の梱包構造に関する。
【背景技術】
【０００２】
陰極線管表示装置は、テレビ受像機やコンピュータディスプレイやビデオモニタとして活用される。この陰極線管表示装置は、立方体に近い直方体の箱の中に緩衝部材を介在して梱包され、その箱ごと運搬される。一般に、箱は段ボール紙等から成り、緩衝部材は発砲スチロール等から成る。運搬中の不用意な落下や衝撃からは、特に緩衝部材によって保護される。
【０００３】
ここで、従来の陰極線管表示装置の梱包構造について、図７〜図１１を参照しながら説明する（例えば、特許文献１、２参照）。図７は従来の陰極線管表示装置の梱包構造を分解して示す斜視図、図８はその梱包構造を箱の一部を破断して示す斜視図、図９はその梱包構造を箱の前板を透過して示す前面図、図１０はその梱包構造を箱の後板を透過して示す後面図、図１１は図９、図１０の一要部であるＤ−Ｄ断面図である。
【０００４】
陰極線管表示装置１０１として、その外形が、表示画面を前面に有する本体部１０２と、この本体部１０２から一段大きく下がって後方に窄まりながら突き出る突出部１０３と、本体部１０２及び突出部１０３を下方より支える支持台部１０４と、より構成される場合、従来の緩衝部材は以下のように構成される。
【０００５】
緩衝部材は、下側で左右に分割された一対の下側緩衝部材１１０Ａ、１１０Ｂと、上側で左右に分割された一対の上側緩衝部材１２０Ａ、１２０Ｂと、より構成される。左側の下側緩衝部材１１０Ａは、箱１３０の底板１３１の直上でその左下隅に沿って前板１３２から後板１３３にわたり配置され、本体部１０２の前面、下面及び左側面を含む左側の前下側角部と、支持台部１０４の後面、下面及び左側面を含む左側の後下側角部と、を保持する。右側の下側緩衝部材１１０Ｂは、左側の下側緩衝部材１１０Ａとは丁度左右対称であり、箱１３０の底板１３１の直上でその右下隅に沿って前板１３２から後板１３３にわたり配置され、本体部１０２の前面、下面及び右側面を含む右側の前下側角部と、支持台部１０４の後面、下面及び右側面を含む右側の後下側角部と、を保持する。
【０００６】
一方、左側の上側緩衝部材１２０Ａは、箱１３０の天板１３６の直下でその左上隅に沿って前板１３２から後板１３３にわたり配置され、本体部１０２の前面、上面及び左側面を含む左側の前上側角部を保持する。右側の上側緩衝部材１２０Ｂは、左側の上側緩衝部材１２０Ａとは丁度左右対称であり、箱１３０の天板１３６の直下でその右上隅に沿って前板１３２から後板１３３にわたり配置され、本体部１０２の前面、上面及び左側面を含む右側の前上側角部を保持する。
【０００７】
また、左側の上側緩衝部材２０Ａは、本体部１０２の後面、上面及び左側面を含む左側の後上側角部を保持する第１の突起部１２１Ａと、突出部１０３の後方寄りの上面に当接する第２の突起部１２２Ａと、を有する。その第１の突起部１２１Ａは、突出部１０３の上面において、保持する左側の後上側角部に隣接する前縁部に当接する。同様に、右側の上側緩衝部材１２０Ｂは、本体部１０２の後面、上面及び右側面を含む右側の後上側角部を保持する第１の突起部１２１Ｂと、突出部１０３の後方寄りの上面に当接する第２の突起部１２２Ｂと、を有する。その第１の突起部１２１Ｂは、突出部１０３の上面において、保持する右側の後上側角部に隣接する前縁部に当接する。
【０００８】
このようにして、陰極線管表示装置１０１は、箱１３０内で、下側緩衝部材１１０Ａ、１１０Ｂと、上側緩衝部材１２０Ａ、１２０Ｂと、により、前後、左右、上下から保持されて拘束される。箱１３０が外部より受けたあらゆる方向の衝撃は、下側緩衝部材１１０Ａ、１１０Ｂ、上側緩衝部材１２０Ａ、１２０Ｂの変形によって吸収され、陰極線管表示装置１０１は損傷を免れる。
【特許文献１】特開２００６−１１７２５２号公報
【特許文献２】実用新案登録第３０７８１２６号公報
【考案の開示】
【考案が解決しようとする課題】
【０００９】
ところで、上記の陰極線管表示装置１０１では、突出部１０３が本体部１０２から一段大きく下がって後方に突き出していることから、本体部１０２の上部において、突出部１０３の上面の前縁部に隣接する後面が上下方向で幅広く表出し、上側緩衝部材１２０Ａ、１２０Ｂそれぞれの第１の突起部１２１Ａ、１２１Ｂによる後方からの保持面積が大きくなる。
【００１０】
しかし、そもそもデザイン的に、突出部１０３が本体部１０２から一段僅かに下がって後方に突き出しているような陰極線管表示装置１０１の場合は、本体部１０２の上部において、突出部１０３の上面の前縁部に隣接する後面の上下方向での表出幅が狭くなり、その結果、上側緩衝部材１２０Ａ、１２０Ｂそれぞれの第１の突起部１２１Ａ、１２１Ｂによる後方からの保持面積が小さくなってしまう。そのため、後上方からの衝撃を吸収し切れない事態が起こる。
【００１１】
なお、そのような陰極線管表示装置１０１の場合は、上側緩衝部材１２０Ａ、１２０Ｂそれぞれに突出部１０３の後面に当接してそれを保持する突起部を別途設ければ、上側緩衝部材１２０Ａ、１２０Ｂそれぞれによる後方からの保持面積が総合的に大きくなるため、後上方からの衝撃に対して十分に強くなるが、その反面、突出部１０３の後面まで突起部を大きく延ばす必要があることから、その分素材費が大幅に悪化するという弊害がある。
【００１２】
そこで本考案は、上記の問題に鑑みてなされたものであり、あらゆる方向特に後上方からの衝撃を十分に吸収できる陰極線管表示装置の梱包構造を提供することを目的とするものである。
【課題を解決するための手段】
【００１３】
上記目的を達成するため、本考案による陰極線管表示装置の梱包構造は、箱の中に緩衝部材を介在して梱包された陰極線管表示装置の梱包構造において、次の点を特徴とする。陰極線管表示装置は、表示画面を前面に有する本体部と、この本体部から一段下がって後方に窄まりながら突き出る突出部と、前記本体部及び前記突出部を下方より支える支持台部と、前記突出部の左右両側面における前記本体部側の上縁部からそれぞれ側方に張り出す取っ手部と、を備え、前記本体部の前面、下面及び側面を含む左右の前下側角部と、前記支持台部の後面、下面及び側面を含む左右の後下側角部と、が前後に分割して配置された一対の下側緩衝部材で保持され、前記本体部の前面、上面及び側面を含む左右の前上側角部が左右に分割して配置された一対の上側緩衝部材で保持されている。前記上側緩衝部材は、前記突出部の上面の前縁部に隣接する前記本体部の後面に当接する第１の突起部と、前記取っ手部の後面に当接する第２の突起部と、前記突出部の上面に当接する第３の突起部と、を有するものである。そして、前記上側緩衝部材が発泡スチロールから成り、前記箱が段ボール紙から成り、前記陰極線管表示装置がテレビジョン受像機であり、前記上側緩衝部材からの前記第１の突起部と前記突出部の上面の前縁部との間に、５ｍｍ以上の隙間があけられている。
【００１４】
このような陰極線管表示装置の梱包構造では、陰極線管表示装置は、箱内で、下側緩衝部材と、上側緩衝部材と、により、前後、左右、上下から保持されて拘束されるようになり、箱が外部より受けたあらゆる方向の衝撃は、下側緩衝部材、上側緩衝部材の変形によって吸収され、陰極線管表示装置は損傷を免れる。特に、第１の突起部による後方からの保持に加えて、第２の突起部により後方からの保持面積が拡大しているため、後上方からの衝撃も十分吸収できる。
【００１５】
また、上記目的を達成するための本考案による陰極線管表示装置の梱包構造は、箱の中に緩衝部材を介在して梱包された陰極線管表示装置の梱包構造において、陰極線管表示装置は、表示画面を前面に有する本体部と、この本体部から一段下がって後方に窄まりながら突き出る突出部と、前記本体部及び前記突出部を下方より支える支持台部と、前記突出部の左右両側面における前記本体部側の上縁部からそれぞれ側方に張り出す取っ手部と、を備え、前記本体部の前面、下面及び側面を含む左右の前下側角部と、前記支持台部の後面、下面及び側面を含む左右の後下側角部と、が前後又は左右に分割して配置された一対の下側緩衝部材で保持され、前記本体部の前面、上面及び側面を含む左右の前上側角部が左右に分割して配置された一対の上側緩衝部材で保持されている。前記上側緩衝部材は、前記突出部の上面の前縁部に隣接する前記本体部の後面に当接する第１の突起部と、前記取っ手部の後面に当接する第２の突起部と、前記突出部の上面に当接する第３の突起部と、を有する。
【００１６】
このような陰極線管表示装置の梱包構造では、陰極線管表示装置は、箱内で、下側緩衝部材と、上側緩衝部材と、により、前後、左右、上下から保持されて拘束されるようになり、箱が外部より受けたあらゆる方向の衝撃は、下側緩衝部材、上側緩衝部材の変形によって吸収され、陰極線管表示装置は損傷を免れる。特に、第１の突起部による後方からの保持に加えて、第２の突起部により後方からの保持面積が拡大しているため、後上方からの衝撃も十分吸収できる。
【００１７】
ここで、上方からの衝撃の必要以上の伝播を回避する観点から、前記上側緩衝部材からの前記第１の突起部と前記突出部の上面の前縁部との間に、所定の隙間があけられているとよい。
【００１８】
このとき、前記上側緩衝部材が発泡スチロールから成り、前記隙間が５ｍｍ以上であることが好ましい。
【００１９】
また、実用的には、前記箱が段ボール紙から成ることが好ましい。
【００２０】
特に、前記陰極線管表示装置がテレビジョン受像機であることが好ましい。
【考案の効果】
【００２１】
本考案の陰極線管表示装置の梱包構造によれば、あらゆる方向特に後上方からの衝撃を十分に吸収できる。
【考案を実施するための最良の形態】
【００２２】
以下に、本考案の陰極線管表示装置の梱包構造の一実施形態について図面を参照しながら詳述する。図１は本考案の一実施形態である陰極線管表示装置の梱包構造を分解して示す斜視図、図２はその梱包構造を箱の一部を破断して示す斜視図、図３はその梱包構造を箱の前板を透過して示す前面図、図４はその梱包構造を箱の後板を透過して示す後面図、図５は図３、図４の一要部であるＡ−Ａ断面図、図６は図３、図４の一要部であるＢ−Ｂ断面図である。
【００２３】
本実施形態での陰極線管表示装置１はテレビ受像機であって、その外形が、表示画面を前面に有する本体部２と、この本体部２から一段下がって後方に窄まりながら突き出る突出部３と、本体部２及び突出部３を下方より支える支持台部４と、より構成される。特にここでは、デザイン的な見地から、突出部３が本体部２から一段僅かに下がって後方に突き出している。更に、突出部３の左右両側面における本体部２側の上縁部からそれぞれ側方に張り出す取っ手部５Ａ、５Ｂを備える。このような陰極線管表示装置１の場合、緩衝部材は以下のように構成される。
【００２４】
本実施形態での緩衝部材は、下側で前後に分割された一対の下側緩衝部材１０Ａ、１０Ｂと、上側で左右に分割された一対の上側緩衝部材２０Ａ、２０Ｂと、より構成される。前側の下側緩衝部材１０Ａは、箱３０の底板３１の直上でその前下隅に沿って左側板３４から右側板３５にわたり配置され、本体部２の前面、下面及び左側面を含む左側の前下側角部と、本体部２の前面、下面及び右側面を含む右側の前下側角部と、を保持する。後側の下側緩衝部材１０Ｂは、箱３０の底板３１の直上でその後下隅に沿って左側板３４から右側板３５にわたり配置され、支持台部４の後面、下面及び左側面を含む左側の後下側角部と、支持台部４の後面、下面及び右側面を含む右側の後下側角部と、を保持する。なお、ここでの下側緩衝部材１０Ａ、１０Ｂと、上側緩衝部材２０Ａ、２０Ｂは発泡スチロールより成る。ここでの箱３０はダンボール紙より成る。
【００２５】
一方、左側の上側緩衝部材２０Ａは、箱３０の天板３６の直下でその左上隅に沿って前板３２から後板３３にわたり配置され、本体部２の前面、上面及び左側面を含む左側の前上側角部を保持する。右側の上側緩衝部材２０Ｂは、左側の上側緩衝部材２０Ａとは丁度左右対称であり、箱３０の天板３６の直下でその右上隅に沿って前板３２から後板３３にわたり配置され、本体部２の前面、上面及び左側面を含む右側の前上側角部を保持する。
【００２６】
また、左側の上側緩衝部材２０Ａは、陰極線管表示装置１に向く内側に、前から後へ順に、第１の突起部２１Ａと、第２の突起部２２Ａと、第３の突起部２３Ａと、を有する。第１の突起部２１Ａは、突出部３の上面の左側の前縁部に隣接する本体部２の後面に当接する（図５、図６参照）。第２の突起部２２Ａは、左側の取っ手部５Ａの後面に当接する（図５参照）。第３の突起部２３Ａは、突出部３の後方寄りでの左側の上面に当接する（図６参照）。もっとも、ここでの第１の突起部２１Ａは、突出部３の上面の左側の前縁部に対して、当接せずに、所定の隙間があけられている（図５、図６参照）。
【００２７】
同様に、右側の上側緩衝部材２０Ｂは、陰極線管表示装置１に向く内側に、前から後へ順に、第１の突起部２１Ｂと、第２の突起部２２Ｂ（不図示）と、第３の突起部２３Ｂと、を有する。第１の突起部２１Ｂは、突出部３の上面の右側の前縁部に隣接する本体部２の後面に当接する。第２の突起部２２Ｂは、右側の取っ手部５Ｂの後面に当接する。第３の突起部２３Ｂは、突出部３の後方寄りでの右側の上面に当接する。もっとも、ここでの第１の突起部２１Ｂは、突出部３の上面の右側の前縁部に対して、当接せずに、所定の隙間があけられている。
【００２８】
このようにして、陰極線管表示装置１は、箱３０内で、下側緩衝部材１０Ａ、１０Ｂと、上側緩衝部材２０Ａ、２０Ｂと、により、前後、左右、上下から保持されて拘束される。箱３０が外部より受けたあらゆる方向の衝撃は、下側緩衝部材１０Ａ、１０Ｂ、上側緩衝部材２０Ａ、２０Ｂの変形によって吸収され、陰極線管表示装置１は損傷を免れる。
【００２９】
特に本実施形態の陰極線管表示装置の梱包構造では、一見したところ、本体部２の上部において、突出部３の上面の前縁部に隣接する後面の上下方向での表出幅が狭くなり、その結果、上側緩衝部材２０Ａ、２０Ｂそれぞれの第１の突起部２１Ａ、２１Ｂによる後方からの保持面積が小さくなってしまう。そのため、第１の突起部２１Ａ、２１Ｂによる後方から保持だけでは、後上方からの衝撃を吸収し切れない事態が起こる。しかし、本実施形態では、取っ手部５Ａ、５Ｂの後面に上側緩衝部材２０Ａ、２０Ｂそれぞれの第２の突起部２２Ａ、２２Ｂを当接させているため、その分後方からの保持面積が拡大し、その結果として、後上方からの衝撃も十分吸収でき、陰極線管表示装置１に損傷を与えない。しかも、第２の突起部２２Ａ、２２Ｂについては、従来の改善策のように、突出部３の後面にまで大きく延ばす必要はないことから、素材費の増加は少なくて済む。
【００３０】
また、本実施形態では、上側緩衝部材２０Ａ、２０Ｂそれぞれからの第１の突起部２１Ａ、２１Ｂと突出部３の上面の前縁部との間に、所定の隙間があけられているため、上方から衝撃を受けて上側緩衝部材２０Ａ、２０Ｂの変形が変形しても、その衝撃が突出部３すなわち陰極線管表示装置１に必要以上伝播することがなくなり、一層、陰極線管表示装置１に損傷を与えない。その第１の突起部２１Ａ、２１Ｂと突出部３の上面の前縁部との隙間は、上側緩衝部材２０Ａ、２０Ｂが発泡スチロールの場合、それが変形しても互いに接触しないように、５ｍｍ以上が好ましい。
【００３１】
その他本考案は上記の実施形態に限定されず、本考案の趣旨を逸脱しない範囲で、種々の変更が可能である。例えば、下側緩衝部材１０Ａ、１０Ｂに関して、上記の実施形態では前後に分割して配置しているが、従来のように左右に分割して配置しても構わない。
【産業上の利用可能性】
【００３２】
本考案は、陰極線管表示装置を運搬する際に有用である。
【図面の簡単な説明】
【００３３】
【図１】本考案の一実施形態である陰極線管表示装置の梱包構造を分解して示す斜視図である。
【図２】本考案の一実施形態での梱包構造を箱の一部を破断して示す斜視図である。
【図３】本考案の一実施形態での梱包構造を箱の前板を透過して示す前面図である。
【図４】本考案の一実施形態での梱包構造を箱の後板を透過して示す後面図である。
【図５】図３、図４の一要部であるＡ−Ａ断面図である。
【図６】図３、図４の一要部であるＢ−Ｂ断面図である。
【図７】従来の陰極線管表示装置の梱包構造を分解して示す斜視図である。
【図８】従来の梱包構造を箱の一部を破断して示す斜視図である。
【図９】従来の梱包構造を箱の前板を透過して示す前面図である。
【図１０】従来の梱包構造を箱の後板を透過して示す後面図である。
【図１１】図９、図１０の一要部であるＤ−Ｄ断面図である。
【符号の説明】
【００３４】
１    陰極線管表示装置
２    本体部
３    突出部
４    支持台部
５Ａ、５Ｂ    取っ手部
１０Ａ、１０Ｂ    下側緩衝部材
２０Ａ、２０Ｂ    上側緩衝部材
２１Ａ、２１Ｂ    第１の突起部
２２Ａ、２２Ｂ    第２の突起部
２３Ａ、２３Ｂ    第３の突起部
３０    箱
【図１】
0003129084.tif 000003
【図２】
0003129084.tif 000004
【図３】
0003129084.tif 000005
【図４】
0003129084.tif 000006
【図５】
0003129084.tif 000007
【図６】
0003129084.tif 000008
【図７】
0003129084.tif 000009
【図８】
0003129084.tif 000010
【図９】
0003129084.tif 000011
【図１０】
0003129084.tif 000012
【図１１】
0003129084.tif 000013